(57)【要約】【課題】中型、大型クラスの一軸型耕耘機であっても、容易に収納や取り出しを行うことができるようにする。【解決手段】走行軸に兼用される耕耘軸２を備えた一軸型耕耘機１の収納に用いられ、当該一軸型耕耘機１の耕耘軸部を収納する収納ケース１３であって、該収納ケース１３は、左右に分割形成された一対の分割ケース１３Ｌ、１３Ｒを備え、左右外側方から耕耘軸部を覆うように一軸型耕耘機１に装着される。【選択図】図２
2010273544.tif 000002
【特許請求の範囲】
【請求項１】
走行軸に兼用される耕耘軸を備えた一軸型耕耘機の収納に用いられ、当該一軸型耕耘機の耕耘軸部を収納する収納ケースであって、
該収納ケースは、左右に分割形成された一対の分割ケースを備え、左右外側方から耕耘軸部を覆うように一軸型耕耘機に装着されることを特徴とする一軸型耕耘機用収納ケース。
【請求項２】
前記分割ケースは、耕耘軸の外端部に固定されることを特徴とする請求項１記載の一軸型耕耘機用収納ケース。
【発明の詳細な説明】
【技術分野】
【０００１】
本発明は、走行軸に兼用される耕耘軸を備えた一軸型耕耘機の収納に用いられ、当該一軸型耕耘機の耕耘軸部を収納する収納ケースに関する。
【背景技術】
【０００２】
一軸型耕耘機の耕耘軸部を収納する収納ケースが知られている。例えば、特許文献１、２に示される収納ケースは、上方が開口した箱状に形成されており、一軸型耕耘機の耕耘軸部を収納する際には、一軸型耕耘機を持ち上げ、収納ケースの上方開口部を介して、耕耘軸部を収納ケース内に収納するようになっている。
【先行技術文献】
【特許文献】
【０００３】
【特許文献１】特許第４０３１９３５号公報
【特許文献２】特許第４１３９２５１号公報
【発明の概要】
【発明が解決しようとする課題】
【０００４】
しかしながら、特許文献１、２に示される収納ケースは、一軸型耕耘機の耕耘軸部を収納する際に、一軸型耕耘機を持ち上げる必要があるので、収納時及び取出時の作業性に劣り、特に、機体重量が重い中型、大型クラス（例えば、２５ｋｇ以上）の一軸型耕耘機に適用した場合、一人だけでは収納作業や取出作業ができなくなるという問題があった。
【課題を解決するための手段】
【０００５】
本発明は、上記の如き実情に鑑みこれらの課題を解決することを目的として創作されたものであって、走行軸に兼用される耕耘軸を備えた一軸型耕耘機の収納に用いられ、当該一軸型耕耘機の耕耘軸部を収納する収納ケースであって、該収納ケースは、左右に分割形成された一対の分割ケースを備え、左右外側方から耕耘軸部を覆うように一軸型耕耘機に装着されることを特徴とする。
また、前記分割ケースは、耕耘軸の外端部に固定されることを特徴とする。
【発明の効果】
【０００６】
請求項１の発明によれば、収納ケースは、左右に分割形成された一対の分割ケースを備え、左右外側方から耕耘軸部を覆うように一軸型耕耘機に装着されるので、一軸型耕耘機の耕耘軸部を収納する際に、一軸型耕耘機を持ち上げる必要がなく、その結果、中型、大型クラスの一軸型耕耘機であっても、容易に収納や取り出しを行うことができる。
また、請求項２の発明によれば、分割ケースは、耕耘軸の外端部に固定されるので、固定操作や固定解除操作を機体側方から容易に行うことができるだけでなく、ノブ付きボルトなどの簡易な固定具を用いることにより、構造の簡略化が図れる。
【図面の簡単な説明】
【０００７】
【図１】一軸型耕耘機の耕耘軸部が収納される過程を示す収納ケースの前方斜視図である。
【図２】一軸型耕耘機の耕耘軸部が収納される過程を示す収納ケースの後方斜視図である。
【図３】一軸型耕耘機の耕耘軸部が収納された状態を示す収納ケースの前方斜視図である。
【図４】一軸型耕耘機の耕耘軸部が収納された状態を示す収納ケースの後方斜視図である。
【図５】収納ケース（分割状態）の斜視図である。
【図６】収納ケース（一体化状態）の斜視図である。
【図７】（Ａ）〜（Ｄ）は収納ケース（一体化状態）の平面図、正面図、側面図及び背面図である。
【発明を実施するための形態】
【０００８】
以下、本発明の実施の形態について、図面に基づいて説明する。図１〜図４において、１は一軸型耕耘機であって、該一軸型耕耘機１は、走行軸に兼用される耕耘軸２を備えた歩行型の耕耘機であり、耕耘軸２を軸支するミッションケース３と、ミッションケース３から後方上方に向けて延出する折り畳み自在なハンドル４と、ミッションケース３の上方に搭載されるガスエンジン５とを備えて構成されている。
【０００９】
ガスエンジン５は、ガスボンベ保持部６にセットされるカセット型のガスボンベ（図示せず）から供給されるガスを燃料として動作するように構成されている。そして、ガスエンジン５が発生する動力は、ベルトカバー７内のベルト伝動機構（図示せず）を介してミッションケース３に入力される。ベルトカバー７内のベルト伝動機構は、ベルトテンションクラッチを構成しており、ハンドル４の左側に設けた主クラッチレバー８の操作に応じて動力伝動を入り切り可能である。また、ハンドル４の右側には、ガスエンジン５の回転数を調節するためのアクセルレバー９が設けられている。
【００１０】
耕耘軸２には、耕耘軸２の回転に応じて圃場を耕耘する複数の耕耘爪２ａが取付けられている（以下、耕耘軸２及び耕耘爪２ａを耕耘軸部と称する）。また、機体走行方向に対する後方部位には、圃場に接触して走行抵抗を発生させる抵抗棒１０が設けられており、この走行抵抗で機体走行を抑制することにより適度な耕深が得られるようになっている。
【００１１】
一軸型耕耘機１は、耕耘軸部の上方を覆うフェンダ１１を備えている。フェンダ１１は、ミッションケース３から左右に張り出すように設けられ、耕耘土の飛散を防いでいる。また、フェンダ１１の前端部には、機体を持ち上げるための把手部１２が設けられている。
【００１２】
図１〜図７において、１３は収納ケースであって、該収納ケース１３は、一軸型耕耘機１の耕耘軸部を収納するためのものであり、耕耘軸部の上下及び前後を覆う円筒部１３ａと、耕耘軸部の左側方を覆う左側面部１３ｂと、耕耘軸部の右側面部を覆う右側面部１３ｃとを備えている。
【００１３】
収納ケース１３は、左右に分割形成された一対の分割ケース１３Ｌ、１３Ｒからなり、左右外側方から耕耘軸部を覆うように一軸型耕耘機１に装着されるようになっている。このようにすると、一軸型耕耘機１の耕耘軸部を収納する際には、一軸型耕耘機１を全体的に持ち上げることなく、耕耘軸部を少し浮かせるだけで、耕耘軸部を収納ケース１３に収納することが可能になるので、中型、大型クラスの一軸型耕耘機１であっても、容易に収納や取り出しを行うことが可能となる。
【００１４】
また、収納ケース１３は、左右外側方から耕耘軸部を覆うように一軸型耕耘機１に装着されることにより、抵抗棒１０との干渉を避けることができる。これにより、一軸型耕耘機１の耕耘軸部を収納する際に、いちいち抵抗棒１０を取り外す必要がなくなり、収納時の作業性をさらに向上させることができる。
【００１５】
また、分割ケース１３Ｌ、１３Ｒは、耕耘軸２の外端部に固定されることが好ましい。例えば、分割ケース１３Ｌ、１３Ｒの側面部１３ｂ、１３ｃに貫挿されるノブ付きボルト１４を、耕耘軸２の外端部に形成したねじ孔２ｃにねじ込むことにより、分割ケース１３Ｌ、１３Ｒを耕耘軸２の外端部に固定させる。このようにすると、収納ケース１３の固定操作や固定解除操作を機体側方から容易に行うことができるだけでなく、ノブ付きボルト１４のような簡易な固定具を用いることにより、構造の簡略化が図れる。
【００１６】
また、分割ケース１３Ｌ、１３Ｒ間には、互いの位置を規定する位置決め部材１５を設けることが好ましい。例えば、分割ケース１３Ｌ、１３Ｒの突き合せ部分に、互いに係脱自在に係合する位置決め部材１５Ｌ、１５Ｒを設け、互いの位置を規定させる。このようにすると、収納時における収納ケース１３の姿勢を安定化させることができるだけでなく、後述する左右の移動用車輪１６の高さを揃えることができる。
【００１７】
また、収納ケース１３の上部には、一軸型耕耘機１の本体やフェンダ１１との干渉を避けるための切欠き部１３ｄが形成されている。そして、収納ケース１３に一軸型耕耘機１の耕耘軸部を収納した場合、この切欠き部１３ｄは、フェンダ１１によって覆蓋されるようになっている。また、このとき、把手部１２は、収納ケース１３外に露出しているので、収納ケース１３に耕耘軸部を収納した状態であっても、把手部１２を利用して一軸型耕耘機１を容易に持ち上げることができる。
【００１８】
また、収納ケース１３には、一軸型耕耘機１の耕耘軸部を収納した状態で移動するための移動用車輪１６が設けられている。移動用車輪１６は、例えば、左右一対の二輪式とされると共に、収納ケース１３の前後何れかに設けられ、移動時には、移動用車輪１６の他側を持ち上げることにより、移動用車輪１６を利用して一軸型耕耘機１を容易に移動させることが可能になるが、ここで、一軸型耕耘機１は、機体走行方向に対する後方部位に抵抗棒１０を備える一方、収納ケース１３は、機体走行方向に対する前方部位に移動用車輪１６を備えるようにしてある。このようにすると、移動用車輪１６を抵抗棒１０と反対側に設けることにより、抵抗棒１０を外さなくても、機体の抵抗棒１０側を持ち上げれば、移動用車輪１６を用いて容易に移動することが可能になる。
【００１９】
叙述の如く構成された本実施形態によれば、走行軸に兼用される耕耘軸２を備えた一軸型耕耘機１の収納に用いられ、当該一軸型耕耘機１の耕耘軸部を収納する収納ケース１３であって、該収納ケース１３は、左右に分割形成された一対の分割ケース１３Ｌ、１３Ｒを備え、左右外側方から耕耘軸部を覆うように一軸型耕耘機１に装着されるので、一軸型耕耘機１の耕耘軸部を収納する際に、一軸型耕耘機１を持ち上げる必要がなく、その結果、中型、大型クラスの一軸型耕耘機１であっても、容易に収納や取り出しを行うことができる。
【００２０】
また、分割ケース１３は、耕耘軸２の外端部に固定されるので、固定操作や固定解除操作を機体側方から容易に行うことができるだけでなく、ノブ付きボルト１４などの簡易な固定具を用いることにより、構造の簡略化が図れる。
【符号の説明】
【００２１】
１      一軸型耕耘機
２      耕耘軸
１０    抵抗棒
１１    フェンダ
１２    把手部
１３    収納ケース
１３Ｌ  分割ケース
１３Ｒ  分割ケース
１４    ノブ付きボルト
１５    位置決め部材
１６    移動用車輪
【図１】
2010273544.tif 000003
【図２】
2010273544.tif 000004
【図３】
2010273544.tif 000005
【図４】
2010273544.tif 000006
【図５】
2010273544.tif 000007
【図６】
2010273544.tif 000008
【図７】
2010273544.tif 000009